(57)【特許請求の範囲】
【請求項１】
トリムカバーにカップホルダが縫合されたカバー組立体内に、パッド成形用の発泡液を注入してパッドを一体成形してなるアームレストの製造方法において、
前記カップホルダは前記カバー組立体内に有するフレームに支持されているエラストマからなり、このカップホルダの外面側には、パッド成形用の発泡液が含浸可能な素材からなる一体化部品が一体的に設けられ、前記パッド成形用の発泡液を前記一体化部品に含浸させることにより、パッドとカップホルダとを一体化させたことを特徴とするカップホルダ付きアームレストの製造方法。
【請求項２】
前記一体化部品は、スラブウレタンフォームからなり、該スラブウレタンフォームが、前記カバー組立体内に有するフレームに支持されているエラストマからなるカップホルダの外面に接着固定されていることを特徴とする請求項１記載のカップホルダ付きアームレストの製造方法。
【請求項３】
トリムカバーにカップホルダが縫合された袋状のカバー組立体内に、パッド成形用の発泡液を注入してパッドをトリムカバーと一体成形してなるアームレストの製造方法において、
パッド成形用の発泡液が含浸可能な素材からなる一体化部品を外面側に一体的に設けられたエラストマからなるカップホルダが前記トリムカバーに縫合されたカバー組立体内に、フレームをセットしてカップホルダをフレームに支持させた後、カバー組立体内にパッド成形用の発泡液を注入してパッドをトリムカバーと一体成形することを特徴とするカップホルダ付きアームレストの製造方法。
【発明の詳細な説明】
【技術分野】
【０００１】
本発明は、カップホルダを有するアームレストの製造方法に関するものである。
【背景技術】
【０００２】
従来、このような分野の技術として、特開２０１０−０７６５０２号公報がある。この公報に記載されたアームレストは、保形性や形状出しが良好な成形不織布によって形成されたカップホルダを有し、このカップホルダの鍔部はトリムカバーに縫合されている。そして、袋状のトリムカバーとカップホルダとからなる袋状のカバー組立体内に、パッド成形用ウレタン発泡液を注入することで、このカバー組立体内にはパッドが成形される。
【先行技術文献】
【特許文献】
【０００３】
【特許文献１】特開２０１０−０７６５０２号公報
【発明の概要】
【発明が解決しようとする課題】
【０００４】
しかしながら、縫合可能なカップホルダを、パッド成形用の発泡液が浸み込み難い材質、例えばゴムなど弾性体で成形していると、パッドとカップホルダとが剥離し易く、このような剥離によって、剥離した箇所でカップホルダが部分的に浮いたり、カップホルダが外れたりする虞がある。ここで、パッドからのカップホルダの剥離を防止する技術として、カップホルダの外面に大きな凹凸を設け、この凹凸によってパッドとの接触面積を増大させるものもあるが、このような手法であるとカップホルダ、ひいてはアームレストの大型化を招来するおそれがある。また、カップホルダの剥離を考慮して、カップホルダの形状を維持させるためには、カップホルダ自体の形状保持力に頼る必要があり、その結果として、カップホルダの肉厚を厚くする必要があり、これによってコストアップを招来してしまう。
【０００５】
本発明は、パッドから剥離し難いカップホルダを有するアームレストの製造方法を提供することを目的とする。
【課題を解決するための手段】
【０００６】
本発明は、トリムカバーにカップホルダが縫合されたカバー組立体内に、パッド成形用の発泡液を注入してパッドを一体成形してなるアームレストの製造方法において、
前記カップホルダは前記カバー組立体内に有するフレームに支持されているエラストマからなり、このカップホルダの外面側には、パッド成形用の発泡液が含浸可能な素材からなる一体化部品が一体的に設けられ、前記パッド成形用の発泡液を前記一体化部品に含浸させることにより、パッドとカップホルダとを一体化させたことを特徴とする。
【０００７】
このカップホルダ付きアームレストの製造方法においては、トリムカバーにカップホルダが縫合されたカバー組立体内に、パッド成形用の発泡液が注入されると、カップホルダの外面に一体的に設けられたスラブウレタンフォーム等のパッド成形用の発泡液が含浸可能な素材からなる一体化部品にパッド成形用の発泡液が含浸させられる。これによって、パッドと、カップホルダとが一体化されて、カップホルダがパッドから剥離し難く、カップホルダがパッドから部分的に浮いたり、カップホルダがパッドから外れたりするような事態が起こり難くなる。
【０００８】
また、前記一体化部品は、スラブウレタンフォームからなり、該スラブウレタンフォームが、前記カバー組立体内に有するフレームに支持されているエラストマからなるカップホルダの外面に接着固定されていると好適である。
このように、カップホルダと一体化部品とを別部品にすることで、従来のようにカップホルダの外面に大きな凹凸を形成して接触面積を増加させるような工夫が必要なく、カップホルダの形状、肉厚、材質の設計自由度が大幅に向上し、近年の軽量化に伴う省エネ化を達成させることができる。
【０００９】
本発明は、トリムカバーにカップホルダが縫合された袋状のカバー組立体内に、パッド成形用の発泡液を注入してパッドをトリムカバーと一体成形してなるアームレストの製造方法において、
パッド成形用の発泡液が含浸可能な素材からなる一体化部品を外面側に一体的に設けられたエラストマからなるカップホルダが前記トリムカバーに縫合されたカバー組立体内に、フレームをセットしてカップホルダをフレームに支持させた後、カバー組立体内にパッド成形用の発泡液を注入してパッドをトリムカバーと一体成形することを特徴とする。
【００１０】
このカップホルダ付きアームレストの製造方法においては、トリムカバーにカップホルダが縫合されたカバー組立体内に、パッド成形用の発泡液が注入されると、カップホルダの外面側に一体的に設けられた一体化部品に、パッド成形用の発泡液が含浸させられる。これによって、パッドと一体化部品、ひいてはパッド３とカップホルダ１０とが一体化されて、カップホルダがパッドから剥離し難く、カップホルダがパッドから部分的に浮いたり、カップホルダが外れたりするような事態が起こり難くなる。
【発明の効果】
【００１１】
本発明によれば、カップホルダがパッドから剥離し難くなる。
【図面の簡単な説明】
【００１２】
【図１】本発明に係るカップホルダ付きアームレストの製造方法における一実施形態を示す斜視図である。
【図２】図１のＩＩ−ＩＩ線に沿う断面図である。
【図３】カバー組立体の分解斜視図である。
【発明を実施するための形態】
【００１３】
以下、図面を参照しつつ本発明に係るカップホルダ付きアームレストの製造方法の好適な実施形態について詳細に説明する。
【００１４】
図１及び図２に示されるように、アームレスト１は、袋状のトリムカバー２で覆われたパッド３を有し、このパッド３内には、回転軸４が設けられたフレーム５が埋設されている。さらに、トリムカバー２には、カップホルダ１０がミシンにより縫合されている。
【００１５】
トリムカバー２は、例えば、表皮材、ワディング、ワディングカバーからなる従来周知の部材で、複数の生地の縫合によって袋状に形成されている。また、カップホルダ１０は、縫製が可能で保形性のある合成樹脂で成形されている。
【００１６】
このカップホルダ１０の材質は、エラストマからなり、正確な形状にするために射出成形ができ、成形性に優れ、柔軟で保形性を有する。このエラストマは、常温付近でゴムのように高弾性を示す高分子物質であり、柔軟性のある合成樹脂であるため、成形後であってもトリムカバー２に縫合が可能である。
【００１７】
図３に示されるように、カップホルダ１０は、有底の四角筒をなす本体部１０ａと、本体部１０ａの開口側に形成されたフランジ部１０ｂとを有する。また、縫合により袋状に形成されたトリムカバー２には、カップホルダ１０の本体部１０ａを挿入させるための開口部２ａが形成されている。そして、破線で示すような縫製箇所Ｓでトリムカバー２の開口部２ａの周縁とカップホルダ１０のフランジ部１０ｂとを縫合することで、カバー組立体Ｈが構成される。
【００１８】
更に、本体部１０ａの各側壁１０ｃの外面には、矩形の一体化部品Ａが、たとえば両面テープＰにより一体的に固定されている。この一体化部品Ａは、たとえばスラブウレタンフォームにより形成され、パッド３の原料をなすパッド成形用の発泡液の含浸が可能である。なお、一体化部品Ａは両面テープＰの固定に限定されず、たとえば接着剤によってカップホルダ１０の外面に一体的に固定してもよい。
【００１９】
また、カップホルダ１０の底面１０ｄは、湾曲形状をなし、フレーム５によって支持されている（図２参照）。
【００２０】
図２に示されるように、このようなカップホルダ付きアームレスト１の製造方法においては、トリムカバー２にカップホルダ１０が縫合されたカバー組立体Ｈ内に、パッド成形用の発泡液が注入されると、カップホルダ１０の外面に設けられたスラブウレタンフォームからなる一体化部品Ａに、パッド成形用の発泡液が含浸させられパッド３が一体発泡される。これによって、パッド３と一体化部品Ａが一体化され、ひいてはパッド３とカップホルダ１０とが一体化されて、カップホルダ１０がパッド３から剥離し難く、カップホルダ１０がパッド３から部分的に浮いたり、カップホルダ１０がパッド３から外れたりするような事態が起こり難くなる。
【００２１】
さらに、一体化部品Ａは、カップホルダ１０の外面に両面テープＰ又は接着剤により一体的に固定すれば足りるため、カップホルダ１０と一体化部品Ａとを別部品にすることができ、従来のようにカップホルダの外面に大きな凹凸を形成して接触面積を増加させるような工夫が必要なく、カップホルダ１０の形状、肉厚、材質の設計自由度が大幅に向上し、近年の軽量化に伴う省エネ化を達成させることができる。
【００２２】
このようなカップホルダ１０にあっては、一体化部品Ａの厚みが０.５ｍｍ程度あれば、その機能を十分発揮させることができる。
【００２３】
次に、アームレスト１の製造方法について説明する。
【００２４】
前述したカバー組立体Ｈの内にフレーム５をセットして、このフレーム５にカップホルダ１０を支持させた後、トリムカバー２に発泡液注入ノズルが差し込まれる。この状態で、カバー組立体Ｈを金型内にセットするが、発泡液注入ノズルは金型から突出されている。
【００２５】
その後、発泡液注入ノズルからパッド３の原料をなすパッド成形用の発泡液を注入する。このとき、発泡液が、スラブウレタンフォームからなる一体化部品Ａに含浸し続ける。
【００２６】
そして、金型内で、発泡液が硬化して、パッド３と一体化部品Ａとが一体化された後、金型からアームレスト１が取り出される。
【００２７】
本発明は、前述した実施形態に限定されないことは言うまでもない。例えば、カップホルダ１０の本体部１０ａに、スラブウレタンフォームからなる一体化部品Ａが一体成形されたものであってもよい。また、一体化部品Ａとしてスラブウレタンフォームを具体化しているが、パッド成形用の発泡液が含浸可能な素材であれば足りるため、これに限定されない。
【符号の説明】
【００２８】
１…アームレスト、２…トリムカバー、３…パッド、１０…カップホルダ、Ｈ…カバー組立体、Ａ…一体化部品。
【図１】
0005832796.tif 000002
【図２】
0005832796.tif 000003
【図３】
0005832796.tif 000004